(57)【要約】【課題】  荒削り用インサートと仕上げ用インサートとを装着させて荒切削と仕上げ切削とを行う刃先交換式切削工具において、横方向の送り速度を速くした場合にも仕上げ面が良好な切削加工が安定して行えるようにする。【解決手段】  工具本体10に荒削り用インサート20と仕上げ用インサート30とが交互に着脱可能に装着された刃先交換式切削工具において、荒削り用インサートにおける荒削り用底刃21と荒削り用外周刃22とが交差するコーナー部における荒削り用コーナー刃23と、仕上げ用インサートにおける軸方向先端側に向けて凸の円弧状になった仕上げ用底刃31と仕上げ用外周刃32とが交差するコーナー部における仕上げ用コーナー刃33との関係を適切に設定すると共に、仕上げ用底刃を荒削り用底刃よりも軸方向先端側に突出させた。【選択図】  図５
2010058240.tif 000002
【特許請求の範囲】
【請求項１】
軸線回りに回転される工具本体の先端側外周部に設けられた複数のインサート取付座に、荒削り用インサートと仕上げ用インサートとが交互に着脱可能に装着された刃先交換式切削工具において、上記の荒削り用インサートにおける荒削り用底刃と荒削り用外周刃とが交差するコーナー部が角取りされて荒削り用コーナー刃が設けられると共に、上記の仕上げ用インサートにおける軸方向先端側に向けて凸の円弧状になった仕上げ用底刃と仕上げ用外周刃とが交差するコーナー部が角取りされて仕上げ用コーナー刃が設けられ、上記の荒削り用コーナー刃における軸方向の高さをｈ１（ｍｍ）、その半径方向の長さをｃ１（ｍｍ）、上記の軸方向先端側に向けて凸の円弧状になった仕上げ用底刃の曲率半径をＲ（ｍｍ）、上記の仕上げ用コーナー刃における軸方向の高さをｈ２（ｍｍ）、その半径方向の長さをｃ２（ｍｍ）、上記の仕上げ用インサートの一刃当りの送り量をｆｚ（ｍｍ／刃）とした場合に、ｈ１≦０．６、ｈ２＞ｈ１、１００≦Ｒ≦５００、（ｃ２−ｃ１）＞ｆｚ／２の条件を満たすと共に、上記の仕上げ用底刃が荒削り用底刃よりも軸方向先端側に突出するようにしたことを特徴とする刃先交換式切削工具。
【請求項２】
請求項１に記載の刃先交換式切削工具において、上記の荒削り用コーナー刃の半径方向に対する傾斜角θ１が１０°〜３０°の範囲であることを特徴とする刃先交換式切削工具。
【請求項３】
請求項１又は請求項２に記載の刃先交換式切削工具において、上記の荒削り用外周刃が上記の仕上げ用外周刃よりも半径方向に突出し、その突出量Ｅが０．５ｍｍ以下であることを特徴とする刃先交換式切削工具。
【請求項４】
請求項１〜請求項３の何れか１項に記載の刃先交換式切削工具において、上記の工具本体に設けられたインサート取付座に仕上げ用インサートを着脱可能に装着させるにあたり、上記の仕上げ用インサートの取付位置を軸方向に調整する調整機構を設けたことを特徴とする刃先交換式切削工具。
【発明の詳細な説明】
【技術分野】
【０００１】
本発明は、軸線回りに回転される工具本体の先端側外周部に設けられた複数のインサート取付座にインサートが着脱可能に装着された刃先交換式切削工具に係り、特に、複数のインサート取付座に荒削り用インサートと仕上げ用インサートとを交互に装着させて仕上げ切削を高送りで行うようにした刃先交換式切削工具において、横方向の送り速度を速くした場合においても、仕上げ面が良好な切削加工が安定して行えるようにした点に特徴を有するものである。
【背景技術】
【０００２】
従来から、軸線回りに回転される工具本体の先端側外周部に設けられた複数のインサート取付座にインサートが着脱可能に装着された正面フライス等の刃先交換式切削工具を用い、金属で構成された被削材を正面切削加工することが行われている。
【０００３】
そして、このような刃先交換式切削工具を用いて被削材を正面切削加工するにあたり、従来においては、一般に工具本体の先端側外周部に設けられた複数のインサート取付座に荒削り用インサートを装着させた荒削り用の刃先交換式切削工具により、上記の被削材に対して荒削りの正面切削加工を行った後、工具本体の先端側外周部に設けられた複数のインサート取付座に仕上げ用インサートを装着させた仕上げ用の刃先交換式切削工具を用いて仕上げの正面切削加工を行うようにしている。
【０００４】
しかし、このように荒削り用の刃先交換式切削工具と仕上げ用の刃先交換式切削工具との２種類の刃先交換式切削工具を用いて、被削材を正面切削加工する場合、各刃先交換式切削工具を準備するためのコストが高くつくと共に、それぞれの切削加工に応じて、これらの刃先交換式切削工具を交換させることが必要になり、これらの切削加工に要する時間が長くなって、切削加工効率が非常に悪くなるという問題があった。
【０００５】
このため、近年においては、特許文献１，２に示すように、刃先交換式切削工具における複数のインサート取付座に、荒削り用インサートと仕上げ用インサートとを装着させ、１つの刃先交換式切削工具によって仕上げ切削を効率よく行うようにしたものが提案されている。
【０００６】
ここで、特許文献１に示されるものにおいては、仕上げ用インサートにおける底刃を軸方向先端側に向けて曲率半径Ｒが５０〜５００ｍｍの凸の円弧状に形成し、軸方向の切込みを大きくした場合においても、良好な仕上げ面が得られるようにすることが提案されている。
【０００７】
また、特許文献２に示されるものにおいては、仕上げ用インサートにおける底刃を荒削り用インサートの底刃よりも軸方向先端側に僅かに突出させると共に、仕上げ用インサートにおける外周刃を、荒削り用インサートにおける外周刃よりも一刃当りの送り量以上引っ込むように設け、仕上げ用インサートにおける外周刃が切削を行わないようにして、仕上げ用インサートに加わる負荷を低減させることが提案されている。
【０００８】
ここで、近年においては、上記のような刃先交換式切削工具において、その横方向の送り速度を速くして、効率のよい切削加工を行うことが要望されている。
【０００９】
そして、上記の特許文献１，２に示される刃先交換式切削工具において、その横方向の送り速度を速くした場合、荒削り用インサートや仕上げ用インサートに加わる負荷が大きくなり、特に、荒削り用インサートや仕上げ用インサートにおける軸方向先端の外周側におけるコーナー刃に加わる負荷が非常に大きくなり、切削加工時にビビリが発生して仕上げ面の状態が悪くなったり、荒削り用インサートや仕上げ用インサートにおけるコーナー刃に欠損が生じたりするという問題があった。
【特許文献１】特開２００８−１００３１６号公報
【特許文献２】特開平９−３８８１９号公報
【発明の開示】
【発明が解決しようとする課題】
【００１０】
本発明は、軸線回りに回転される工具本体の先端側外周部に設けられた複数のインサート取付座にインサートが着脱可能に装着された刃先交換式切削工具における上記のような様々な問題を解決することを課題とするものである。
【００１１】
そして、本発明においては、上記の複数のインサート取付座に荒削り用インサートと仕上げ用インサートとを装着させて仕上げ切削を高送りで行うようにした刃先交換式切削工具において、その横方向の送り速度を速くして切削加工を行うようにした場合においても、ビビリが発生して仕上げ面の状態が悪くなったり、荒削り用インサートや仕上げ用インサートにおけるコーナー刃に欠損が生じたりするということがなく、仕上げ面が良好な切削加工が安定して行えるようにすることを課題とするものである。
【課題を解決するための手段】
【００１２】
本発明においては、上記のような課題を解決するため、軸線回りに回転される工具本体の先端側外周部に設けられた複数のインサート取付座に、荒削り用インサートと仕上げ用インサートとが交互に着脱可能に装着された刃先交換式切削工具において、上記の荒削り用インサートにおける荒削り用底刃と荒削り用外周刃とが交差するコーナー部を角取りして荒削り用コーナー刃を設けると共に、上記の仕上げ用インサートにおける軸方向先端側に向けて凸の円弧状になった仕上げ用底刃と仕上げ用外周刃とが交差するコーナー部を角取りして仕上げ用コーナー刃を設けるにあたり、上記の荒削り用コーナー刃における軸方向の高さをｈ１（ｍｍ）、その半径方向の長さをｃ１（ｍｍ）、上記の軸方向先端側に向けて凸の円弧状になった仕上げ用底刃の曲率半径をＲ（ｍｍ）、上記の仕上げ用コーナー刃における軸方向の高さをｈ２（ｍｍ）、その半径方向の長さをｃ２（ｍｍ）、上記の仕上げ用インサートの一刃当りの送り量をｆｚ（ｍｍ／刃）とした場合に、ｈ１≦０．６、ｈ２＞ｈ１、１００≦Ｒ≦５００、（ｃ２−ｃ１）＞ｆｚ／２の条件を満たすと共に、上記の仕上げ用底刃が荒削り用底刃よりも軸方向先端側に突出するようにした。
【００１３】
ここで、本発明の刃先交換式切削工具において、上記の荒削り用インサートに、軸方向の高さｈ１、半径方向の長さｃ１が上記のような条件を満たす荒削り用コーナー刃を設けるにあたっては、この荒削り用コーナー刃の半径方向に対する傾斜角θ１を１０°〜３０°の範囲にすることが好ましい。
【００１４】
また、本発明の刃先交換式切削工具においては、上記の荒削り用インサートにおける荒削り用外周刃を上記の仕上げ用外周刃よりも半径方向に突出させることが好ましく、仕上げ用外周刃に対する荒削り用外周刃の突出量Ｅを０．５ｍｍ以下にすることが好ましい。
【００１５】
また、本発明の刃先交換式切削工具において、上記のように仕上げ用インサートにおける仕上げ用底刃を、荒削り用インサートにおける荒削り用底刃よりも軸方向先端側に突出させるにあたっては、工具本体に設けられたインサート取付座に仕上げ用インサートを着脱可能に装着させるにあたり、上記の仕上げ用インサートの取付位置を軸方向に調整する調整機構を設け、この調整機構により仕上げ用底刃を荒削り用底刃よりも軸方向先端側に突出させる量を調整させるようにすることが好ましい。
【００１６】
そして、本発明の刃先交換式切削工具においては、仕上げ切削を行うにあたり、軸方向の切込み量を上記の荒削り用インサートにおける荒削り用コーナー刃の軸方向の高さｈ１以下で行うようにする。
【発明の効果】
【００１７】
本発明の刃先交換式切削工具においては、上記の荒削り用インサートにおける荒削り用底刃と荒削り用外周刃とが交差するコーナー部を角取りして荒削り用コーナー刃を設けるにあたり、この荒削り用コーナー刃における軸方向の高さｈ１を０．６ｍｍ以下にしたため、横方向の送り速度を速くして切削加工を行う場合においても、この荒削り用コーナー刃に加わる負荷が低減されて、切削時にビビリが発生したり、この荒削り用コーナー刃に欠損が発生するのが防止される。
【００１８】
また、本発明の刃先交換式切削工具においては、上記のように荒削り用インサートに荒削り用コーナー刃を設けると共に、仕上げ用インサートにおける軸方向先端側に向けて凸の円弧状になった仕上げ用底刃と仕上げ用外周刃とが交差するコーナー部を角取りして仕上げ用コーナー刃を設けるにあたり、荒削り用コーナー刃における軸方向の高さｈ１（ｍｍ）と、その半径方向の長さｃ１（ｍｍ）と、仕上げ用コーナー刃における軸方向の高さｈ２（ｍｍ）と、その半径方向の長さｃ２（ｍｍ）と、仕上げ用インサートの一刃当りの送り量ｆｚ（ｍｍ／刃）とが、ｈ２＞ｈ１及び（ｃ２−ｃ１）＞ｆｚ／２の条件を満たすと共に、上記の仕上げ用底刃が荒削り用底刃よりも軸方向先端側に突出するようにしたため、切削加工時に、上記の仕上げ用インサートにおいては、仕上げ用外周刃や仕上げ用コーナー刃が被削材にあたるのが抑制され、軸方向先端側に向けて凸の円弧状になった仕上げ用底刃だけが被削材を切削するようになる。
【００１９】
このため、本発明の刃先交換式切削工具においては、横方向の送り速度を速くして切削加工を行う場合においても、上記の仕上げ用外周刃や仕上げ用コーナー刃に負荷が加わるということがなく、ビビリが発生したり、これらが欠損したりするのが防止され、上記の仕上げ用底刃により仕上げ面の切削が適切に行えるようになり、特に、軸方向の切込み量がこの荒削り用コーナー刃の軸方向の高さｈ１以下であれば、その切込み量を大きくしても、荒削り用コーナー刃等に加わる負荷が低減され、適切な仕上げ切削を効率よく行えるようになる。
【００２０】
また、このように仕上げ用インサートにおいては、仕上げ用外周刃や仕上げ用コーナー刃が被削材にあたるということがなく、この仕上げ用インサートに加わる負荷が少なくなるため、この仕上げ用インサートの材料に耐摩耗性に優れた高硬度材料を用いることができるようになり、この仕上げ用インサートを長期にわたって安定して使用できると共に、良好な仕上げ面が得られるようになる。
【００２１】
さらに、本発明の刃先交換式切削工具においては、上記のように軸方向先端側に向けて凸の円弧状になった仕上げ用底刃の曲率半径Ｒを１００〜５００ｍｍの範囲にしたため、曲率半径Ｒを小さくした場合のように仕上げ面が粗くなったり、曲率半径Ｒを大きくした場合のように仕上げ用底刃に大きな負荷が加わってビビリが発生したりするのが防止され、良好な仕上げ面の切削加工が行えるようになる。
【００２２】
また、本発明の刃先交換式切削工具において、上記の荒削り用コーナー刃の半径方向に対する傾斜角θ１を１０°〜３０°の範囲にすると、この荒削り用コーナー刃の一刃当たりの送りに対する切り屑の厚みが薄くなり、上記のように横方向の送り速度を速くして切削加工を行う場合においても、切り屑が詰まったり、ビビリが発生したり、この荒削り用コーナー刃に欠損が発生するのが一層防止されるようになる。
【００２３】
また、本発明の刃先交換式切削工具において、前記のように荒削り用外周刃を仕上げ用外周刃よりも半径方向に突出させると、荒削り用インサートや仕上げ用インサートを工具本体のインサート取付座に取り付ける際の誤差等、いわゆる外周振れがある場合においても、上記のように仕上げ用外周刃や仕上げ用コーナー刃が被削材にあたるのが防止されるようになる。但し、仕上げ用外周刃に対する荒削り用外周刃の突出量Ｅが大きくなりすぎると、結果的に仕上げ用インサートの仕上げ用底刃による有効切削径が減少して、適切な仕上げ切削が行えなくなるため、上記のように仕上げ用外周刃に対する荒削り用外周刃の突出量Ｅを０．５ｍｍ以下にすることが好ましい。
【発明を実施するための最良の形態】
【００２４】
以下、この発明の実施形態に係る刃先交換式切削工具を添付図面に基づいて具体的に説明する。なお、この発明における刃先交換式切削工具は、特に下記の実施形態に示したものに限定されず、その要旨を変更しない範囲において適宜変更して実施できるものである。
【００２５】
この実施形態における刃先交換式切削工具においては、図１及び図２に示すように、中心部に貫通された取付穴１１が設けられた工具本体１０の先端側外周部に、周方向に所要間隔を介して複数（図に示す例では４つ）の切り屑ポケット１２が設けられると共に、各切り屑ポケット１２における回転方向後方側の面にインサート取付座１３が設けられている。
【００２６】
そして、カートリッジ２０ａに平面が略四角形状になった荒削り用インサート２０を装着させると共に、カートリッジ３０ａに平面が略四角形状になった仕上げ用インサート３０を装着させ、このように荒削り用インサート２０を装着させたカートリッジ２０ａと、仕上げ用インサート３０を装着させたカートリッジ３０ａとを、上記の工具本体１０におけるインサート取付座１３に交互に着脱可能に装着させると共に、上記の各カートリッジ２０ａ，３０ａにそれぞれ調製ネジ２０ｂ，３０ｂを設け、これらの調製ネジ２０ｂ，３０ｂによってカートリッジ２０ａに装着された荒削り用インサート２０と、カートリッジ３０ａに装着された仕上げ用インサート３０の取付位置を工具本体１０の軸方向に調整するようにしている。
【００２７】
ここで、上記のように工具本体１０のインサート取付座１３にカートリッジ２０ａを介して装着させた各荒削り用インサート２０においては、図３に示すように、荒削り用底刃２１と荒削り用外周刃２２とが交差するコーナー部が角取りされて、荒削り用コーナー刃２３が設けられている。
【００２８】
また、上記のように工具本体１０のインサート取付座１３にカートリッジ３０ａを介して装着させた各仕上げ用インサート３０においては、図４に示すように、軸方向先端側に向けて凸の円弧状になった仕上げ用底刃３１と仕上げ用外周刃３２とが交差するコーナー部が角取りされて、仕上げ用コーナー刃３３が設けられている。
【００２９】
そして、上記の荒削り用インサート２０においては、上記のコーナー部の角取りを小さくし、この荒削り用コーナー刃２３の半径方向の長さｃ１（ｍｍ）を小さくすると共に、この荒削り用コーナー刃２３の半径方向に対する傾斜角θ１を１０°〜３０°の範囲にし、荒削り用コーナー刃２３の軸方向の高さｈ１（ｍｍ）が０．５ｍｍ以下になるようにしている。
【００３０】
また、上記の仕上げ用インサート３０においては、軸方向先端側に向けて凸の円弧状になった仕上げ用底刃３１の曲率半径Ｒ（ｍｍ）を１００〜５００ｍｍの範囲にすると共に、上記のコーナー部の角取りを上記の荒削り用インサート２０よりも大きくし、この仕上げ用コーナー刃３３の半径方向の長さｃ２（ｍｍ）を大きくすると共に、この仕上げ用コーナー刃３３の半径方向に対する傾斜角θ２を通常４５°程度にし、その軸方向の高さｈ２（ｍｍ）も荒削り用コーナー刃２３の軸方向の高さｈ１（ｍｍ）より大きくなるようにしている。
【００３１】
そして、上記のように工具本体１０のインサート取付座１３に荒削り用インサート２０と仕上げ用インサート３０とを取り付けた状態において、この刃先交換式切削工具を回転させて、上記の荒削り用インサート２０と仕上げ用インサート３０とを同じ位置に導いて、荒削り用インサート２０と仕上げ用インサート３０とを重ねた場合、図５に示すように、仕上げ用インサート３０における仕上げ用底刃３１が荒削り用インサート２０における荒削り用底刃３１よりも軸方向先端側に突出すると共に、荒削り用インサート２０における荒削り用外周刃２２が仕上げ用インサート３０における仕上げ用外周刃３２よりも半径方向に突出するようにしている。
【００３２】
ここで、仕上げ用インサート３０における仕上げ用底刃３１を、荒削り用インサート２０における荒削り用底刃３１よりも軸方向先端側に突出させる突出量ｘが大きくなると、切削時に仕上げ用底刃３１に加わる負荷が大きくなって、ビビリが発生したり、仕上げ用底刃３１に欠損が発生したりするおそれがあるため、この突出量ｘを０．１ｍｍ程度にすることが望ましい。
【００３３】
また、荒削り用インサート２０における荒削り用外周刃２２を、仕上げ用インサート３０における仕上げ用外周刃３２よりも半径方向に突出させる突出量Ｅについては、前記のように０．５ｍｍ以下にすることが好ましい。
【００３４】
さらに、この実施形態における刃先交換式切削工具においては、上記のように工具本体１０のインサート取付座１３に荒削り用インサート２０と仕上げ用インサート３０とを取り付けた状態において、上記の荒削り用コーナー刃２３における軸方向の高さｈ１（ｍｍ）と、その半径方向の長さｃ１（ｍｍ）と、上記の仕上げ用コーナー刃３３における軸方向の高さｈ２（ｍｍ）と、その半径方向の長さｃ２（ｍｍ）と、上記の仕上げ用インサート３０の一刃当りの送り量ｆｚ（ｍｍ／刃）とが、ｈ２＞ｈ１及び（ｃ２−ｃ１）＞ｆｚ／２の条件を満たすようにしている。
【００３５】
このようにすると、この実施形態における刃先交換式切削工具を回転させながら横方向に送って切削加工を行う場合、荒削り用インサート２０において被削材を切削した後、回転して次の仕上げ用インサート３０が横方向にｆｚ／２送られながら同じ回転位置に導かれたとしても、上記のように仕上げ用コーナー刃３３における軸方向の高さｈ２が荒削り用インサート２０における軸方向の高さｈ１よりも大きくなっていると共に、仕上げ用コーナー刃３３における半径方向の長さｃ２が荒削り用コーナー刃２３における半径方向の長さｃ１よりもｆｚ／２以上大きくなっているため、仕上げ用インサート３０における仕上げ用外周刃３２及び仕上げ用コーナー刃３３の位置においては、すでに被削材が荒削り用インサート２０における荒削り用外周刃２２及び荒削り用コーナー刃２３によって切削された状態になっている。このため、仕上げ用外周刃３２や仕上げ用コーナー刃３３が被削材にあたるということがなく、この仕上げ用インサート３０において軸方向先端側に向けて凸の円弧状になった上記の仕上げ用底刃３１だけが被削材を切削するようになる。
【００３６】
この結果、この刃先交換式切削工具における横方向の送り速度を速くして切削加工を行う場合においても、上記の仕上げ用外周刃３２や仕上げ用コーナー刃３３に負荷が加わるということがなく、ビビリが発生したり、これらが欠損したりするのが防止され、上記の仕上げ用底刃３１によって仕上げ面の切削が適切に行え、良好な仕上げ面が得られるようになる。
【実施例】
【００３７】
次に、この発明に係る刃先交換式切削工具の具体的な実施例を挙げ、この発明に係る刃先交換式切削工具においては、横方向の送り速度を速くして切削加工を行うようにした場合においても、長期にわたって良好な仕上げ面の切削加工が行えることを明らかにする。
【００３８】
（実施例１）
実施例１の刃先交換式切削工具においては、直径が２００ｍｍの工具本体を用い、上記の実施形態に示すように、この工具本体の先端側外周部に、周方向に所要間隔を介して４つの切り屑ポケットを設け、各切り屑ポケットにおけるインサート取付座に対して、略四角形状になった荒削り用インサートと仕上げ用インサートとをそれぞれカートリッジを介して交互に２枚取り付けるようにした。
【００３９】
ここで、この実施例１においては、上記の荒削り用インサートとして、微粒子超硬合金で構成されたインサートの表面にＰＶＤ法によってＴｉＡｌＮ被膜をコーティングさせたものを用いる一方、上記の仕上げ用インサートとして、サーメットで構成されたインサートの表面にＰＶＤ法によってＴｉＡｌＮ被膜をコーティングさせたものを用いた。
【００４０】
そして、この実施例１においては、上記の荒削り用インサートにおいて、その荒削り用コーナー刃における半径方向に対する傾斜角θ１を２６．６°、軸方向の高さｈ１を０．５ｍｍ、半径方向の長さｃ１を１．０ｍｍにした。
【００４１】
また、上記の仕上げ用インサートにおいては、軸方向先端側に向けて凸の円弧状になった仕上げ用底刃の曲率半径Ｒを３４０ｍｍ、仕上げ用コーナー刃における半径方向に対する傾斜角θ２を４５°、軸方向の高さｈ２を２．２ｍｍ、半径方向の長さｃ２を２．２ｍｍにした。
【００４２】
また、仕上げ用底刃が荒削り用底刃よりも軸方向先端側に突出する突出量ｘを０．１ｍｍ、荒削り用外周刃が仕上げ用外周刃よりも半径方向に突出する突出量Ｅを０．２ｍｍにした。
【００４３】
そして、この実施例１の刃先交換式切削工具においては、Ｓ１５Ｃで構成された被削材に対して、切削速度Ｖｃを３００ｍ／ｍｉｎ，横方向の送り速度Ｖｆを１９００ｍｍ／ｍｉｎ，仕上げ用インサート及び荒削り用インサートにおける１刃当りの送り量ｆｚをそれぞれ２ｍｍ／刃、軸方向の切込みを０．３ｍｍ、半径方向の切込みを１１０ｍｍにして切削加工を行った。
【００４４】
この結果、この実施例１の刃先交換式切削工具においては、切削長１００ｍの切削加工においても、仕上げ用インサートや荒削り用インサートに欠損が生じたり、切削時にヒビリが発生するということがなく、表面粗さＲａが０．５２μｍになった良好な仕上げ面の切削加工が行えた。
【００４５】
なお、この実施例１における刃先交換式切削工具において、上記の４つの各インサート取付座に仕上げ用インサートを取り付けて同様に切削加工を行った場合、初期の段階で上記の仕上げ用インサートに欠損が生じた。
【００４６】
（実施例２）
実施例２の刃先交換式切削工具においても、上記の実施例１と同様に、直径が２００ｍｍの工具本体を用い、この工具本体の先端側外周部に、周方向に所要間隔を介して４つの切り屑ポケットを設け、各切り屑ポケットにおけるインサート取付座に対して、略四角形状になった荒削り用インサートと仕上げ用インサートとをそれぞれカートリッジを介して交互に２枚取り付けるようにした。
【００４７】
ここで、この実施例２においては、上記の荒削り用インサートとして、微粒子超硬合金で構成されたインサート（ロックウェルＡ硬度９１．８）の表面にＰＶＤ法によってＴｉＡｌＣｒＮ被膜をコーティングさせたものを用いる一方、上記の仕上げ用インサートとして、微粒子超硬合金で構成されたインサート（ロックウェルＡ硬度９２．９）の表面にＰＶＤ法によってＴｉＡｌＣｒＮ被膜をコーティングさせたものを用いた。
【００４８】
そして、この実施例２においては、上記の荒削り用インサートにおいて、その荒削り用コーナー刃における半径方向に対する傾斜角θ１を２６．６°、軸方向の高さｈ１を０．５ｍｍ、半径方向の長さｃ１を１．０ｍｍにした。
【００４９】
また、上記の仕上げ用インサートにおいては、軸方向先端側に向けて凸の円弧状になった仕上げ用底刃の曲率半径Ｒを１８０ｍｍ、仕上げ用コーナー刃における半径方向に対する傾斜角θ２を４５°、軸方向の高さｈ２を２．２ｍｍ、半径方向の長さｃ２を２．２ｍｍにした。
【００５０】
また、仕上げ用底刃が荒削り用底刃よりも軸方向先端側に突出する突出量ｘを０．１ｍｍ、荒削り用外周刃が仕上げ用外周刃よりも半径方向に突出する突出量Ｅを０．３ｍｍにした。
【００５１】
そして、この実施例２の刃先交換式切削工具においては、ＦＣ３００で構成された被削材に対して、切削速度Ｖｃを１８０ｍ／ｍｉｎ，横方向の送り速度Ｖｆを１１４０ｍｍ／ｍｉｎ，仕上げ用インサート及び荒削り用インサートにおける１刃当りの送り量ｆｚをそれぞれ２ｍｍ／刃、軸方向の切込みを０．３ｍｍ、半径方向の切込みを１６０ｍｍにして切削加工を行った。
【００５２】
この結果、この実施例２の刃先交換式切削工具においては、切削長１２０ｍの切削加工においても、仕上げ用インサートや荒削り用インサートに欠損が生じたり、切削時にヒビリが発生するということがなく、表面粗さＲａが１．５μｍになった良好な仕上げ面の切削加工が行えた。
【図面の簡単な説明】
【００５３】
【図１】本発明の一実施形態に係る刃先交換式切削工具の概略底面図である。
【図２】同実施形態に係る刃先交換式切削工具の概略側面図である。
【図３】同実施形態に係る刃先交換式切削工具おいて、荒削り用インサートを工具本体に取り付けた状態を示した部分説明図である。
【図４】同実施形態に係る刃先交換式切削工具おいて、仕上げ用インサートを工具本体に取り付けた状態を示した部分説明図である。
【図５】同実施形態に係る刃先交換式切削工具おいて、上記の荒削り用インサートと仕上げ用インサートとが同じ位置にある状態の関係を示した図である。
【符号の説明】
【００５４】
１０  工具本体
１１  取付穴
１２  切り屑ポケット
１３  インサート取付座
２０  荒削り用インサート
２０ａ  カートリッジ
２０ｂ  調製ネジ
２１  荒削り用底刃
２２  荒削り用外周刃
２３  荒削り用コーナー刃
３０  仕上げ用インサート
３０ａ  カートリッジ
３０ｂ  調製ネジ
３１  仕上げ用底刃
３２  仕上げ用外周刃
３３  仕上げ用コーナー刃
ｈ１  荒削り用コーナー刃の軸方向の高さ
θ１  荒削り用コーナー刃の半径方向に対する傾斜角
ｃ１  荒削り用コーナー刃の半径方向の長さ
ｈ２  仕上げ用コーナー刃の軸方向の高さ
θ２  仕上げ用コーナー刃の半径方向に対する傾斜角
ｃ２  仕上げ用コーナー刃の半径方向の長さ
Ｅ  荒削り用外周刃が仕上げ用外周刃よりも半径方向に突出した量
ｘ  仕上げ用底刃が荒削り用底刃よりも軸方向先端側に突出した量
【図１】
2010058240.tif 000003
【図２】
2010058240.tif 000004
【図３】
2010058240.tif 000005
【図４】
2010058240.tif 000006
【図５】
2010058240.tif 000007
【手続補正書】
【提出日】平成20年9月8日(2008.9.8)
【手続補正２】
【補正対象書類名】明細書
【補正対象項目名】００２９
【補正方法】変更
【補正の内容】
【００２９】
そして、上記の荒削り用インサート２０においては、上記のコーナー部の角取りを小さくし、この荒削り用コーナー刃２３の半径方向の長さｃ１（ｍｍ）を小さくすると共に、この荒削り用コーナー刃２３の半径方向に対する傾斜角θ１を１０°〜３０°の範囲にし、荒削り用コーナー刃２３の軸方向の高さｈ１（ｍｍ）が０．６ｍｍ以下になるようにしている。